(57)【要約】【課題】本発明は、安定な係合を具備する雌コネクタ及びその組立体を提供することを目的とする。【解決手段】本発明の雌コネクタは、第１絶縁性本体と、前記第１絶縁性本体に固着される第１端子と、インサートモールドによって前記第１絶縁性本体に固着される第１固定部材と、を備える。前記第１絶縁性本体は、第１底壁と、前記第１底壁から延在し、互いに平行に延在する二つの第１側壁と、前記二つの第１側壁の端部を連接する二つの第１端壁と、前記第１底壁と第１側壁と第１端壁とによって形成される第１収納スペースと、を含む。前記第１固定部材は、平板状の基部と、前記基部の両側で折り曲げられる二つの固定部と、前記固定部から前記収納スペースに向かって折り曲げられ、前記第１側壁に跨る当接ビームと、を有する。【選択図】図１０
2017168427.tif 000002
【特許請求の範囲】
【請求項１】
第１底壁と、前記第１底壁から延在し、互いに平行に延在する二つの第１側壁と、前記二つの第１側壁の端部を連接する二つの第１端壁と、前記第１底壁と前記第１側壁と前記第１端壁とによって形成される第１収納スペースと、を含む第１絶縁性本体と、
前記第１絶縁性本体に固着される複数の第１端子と、
インサートモールドによって前記第１絶縁性本体に固着される第１固定部材と、
を備え、
前記第１固定部材は、平板状の基部と、前記基部の両側で折り曲げられる二つの固定部と、前記固定部から前記第１収納スペースに向かって折り曲げられ、前記第１側壁に跨る当接ビームと、を有することを特徴とする請求項１に記載の雌コネクタ。
【請求項２】
前記第１絶縁性本体の両端には、前記第１固定部材を収納する収納孔が形成され、前記基部及び前記固定部が前記収納孔に収納されることを特徴とする請求項１に記載の雌コネクタ。
【請求項３】
前記固定部は、前記基部から直接的に折り曲げられる一対の保持ビームと、前記保持ビームの端部から上下方向において延在する固持ビームと、を有することを特徴とする請求項２に記載の雌コネクタ。
【請求項４】
前記固定部がＴ字状に形成され、前記固定部の側面が第１側壁の側表面と面一になることを特徴とする請求項１に記載の雌コネクタ。
【請求項５】
前記当接ビームには、係合構造が設けられることを特徴とする請求項１に記載の雌コネクタ。
【請求項６】
請求項１に記載される雌コネクタと、
前記雌コネクタと接続する雄コネクタと、
を備え、前記雄コネクタが、第２絶縁性本体と、前記第２絶縁性本体に固定される複数の第２端子と、前記第１固定部材と係合する第２固定部材と、を有することを特徴とするコネクタ組立体。
【請求項７】
前記第２固定部材が第２絶縁性本体に取り付けられ、前記第２固定部材が、平板状の主体部と、前記主体部の両側から下向きに延在し、前記当接ビームと係合する係合ビームと、を備えることを特徴とする請求項６に記載のコネクタ組立体。
【請求項８】
前記当接ビームと前記係合ビームとにはそれぞれ、互いに係合する係合機構が設けられることを特徴とする請求項７に記載のコネクタ組立体。
【請求項９】
前記第１固定部材が、前記基部から延在する第１制限部を含み、前記第２固定部材が、前記主体部から延在する第２制限部を含むことを特徴とする請求項７に記載のコネクタ組立体。
【請求項１０】
前記第１絶縁性本体の両端には、第１固定部を収納する収納穴が形成され、前記基部及び前記固定部が、前記収納孔に収納され、前記固定部は、前記基部から直接に折り曲げられる二つの保持ビームと、前記保持ビームの端部から上下方向において延在する固持ビームと、を備えることを特徴とする請求項６に記載のコネクタ組立体。
【発明の詳細な説明】
【技術分野】
【０００１】
本発明は、雌コネクタ及びその組立体に関し、特に、高速ビッドで最適な信号伝送を実現することができる雌コネクタ及びその組立体に関するものである。
【背景技術】
【０００２】
従来のソケットコネクタは、側壁を含む本体と、ガイド部材と、シェルと、を有する。前記ガイド部材は、金属板から折り曲げられる。前記ガイド部材の板面とシェルの対応の壁面とは、面一になる。前記ガイド部材は、取付部と、前記取付部を連接する連接部と、を有する。前記取付部が、逆Ｕ字状に形成され、前記側壁に取り付けられる。
【０００３】
ガイド部材が前記側壁に取り付けられる。しかしながら、前記ソケットコネクタが相手コネクトから外れる時、ガイド部材が本体から外れ易い。
【先行技術文献】
【特許文献】
【０００４】
【特許文献１】中国特許公開第１０４２４１９５１Ａ号公報
【発明の概要】
【発明が解決しようとする課題】
【０００５】
そこで、本発明の目的は、安定な係合を具備する雌コネクタ及びその組立体を提供することにある。
【課題を解決するための手段】
【０００６】
前記目的を達成するために、本発明の雌コネクタは、第１絶縁性本体と、前記第１絶縁性本体に固着される第１端子と、インサートモールドによって前記第１絶縁性本体に固着される第１固定部材と、を備える。前記第１絶縁性本体は、第１底壁と、前記第１底壁から延在し、互いに平行に延在する二つの第１側壁と、前記二つの第１側壁の端部を連接する二つの第１端壁と、前記第１底壁と第１側壁と第１端壁とによって形成される第１収納スペースと、を含む。前記第１固定部材は、平板状の基部と、前記基部の両側で折り曲げられる二つの固定部と、前記固定部から前記第１収納スペースに向かって折り曲げられ、前記第１側壁に跨る当接ビームと、を有する。
【発明の効果】
【０００７】
従来の技術と比べると、本発明は以下の長所を有する。前記第１固定部材がインサートモールドによって第１絶縁性本体に固定される。前記固定部によって、前記絶縁性本体が第１固定部材にしっかりと固定される。これにより、雌コネクタが雄コネクタにしっかりと固定される。
【図面の簡単な説明】
【０００８】
【図１】本発明のコネクタ組立体の組立斜視図である。
【図２】図１を別の角度から見た斜視図である。
【図３】図１に示すコネクタ組立体の部分の分解斜視図である。
【図４】図３を別の角度から見た斜視図である。
【図５】図１に示す雌コネクタの分解斜視図である。
【図６】図５を別の角度から見た斜視図である。
【図７】雄コネクタの分解斜視図である。
【図８】図７を別の角度から見た斜視図である。
【図９】第２実施形態のコネクタ組立体の組立斜視図である
【図１０】図９を別の角度から見た斜視図である。
【図１１】第２実施形態の雌コネクタ及び雄コネクタの斜視図である。
【図１２】図１１を別の角度から見た斜視図である。
【図１３】第２実施形態の雌コネクタの分解斜視図である。
【図１４】図１３を別の角度から見た斜視図である。
【図１５】第２実施形態の雄コネクタの分解斜視図である。
【図１６】図１５を別の角度から見た斜視図である。
【発明を実施するための形態】
【０００９】
図１〜図１６に示すように、本発明のコネクタ組立体１００は、互いに接続する雌コネクタ１、１’と、雄コネクタ２、２’と、を有する。
【００１０】
図１〜図８に示すように、第１実施形態にいて、前記雌コネクタ１は、第１絶縁性本体１１と、前記第１絶縁性本体１１に固着される第１端子１２と、インサートモールドによって前記第１絶縁性本体１１に固着される一対の第１固定部材１３と、を備える。
【００１１】
前記第１絶縁性本体１１は、第１底壁１１３と、前記第１底壁１１３から延在し、互いに平行に延在する二つの第１側壁１１１と、前記二つの第１側壁１１１の端部を連接する二つの第１端壁１１２と、前記第１底壁１１３と第１側壁１１１と第１端壁１１２とによって形成される第１収納スペース１１０と、を含む。前記第１収納スペース１１０には、前記第１底壁１１３から延在するプレートフォーム１１４が設けられる。前記プレートフォーム１１４には、前記第１端子１２を収納するための複数の端子溝が形成される。前記第１絶縁性本体１１の両端には、第１固定部材１３を収納する収納孔１１１０が形成される。
【００１２】
前記第１固定部材１３は、垂直方向の平板状の基部１３１と、前記基部１３１の両側で折り曲げられる二つの固定部１３２と、前記基部１３１の上側から基部１３１の上側に設けられる第１制限部１３４と、前記基部１３１の両側から折り曲げられる二つの固定部１３２と、前記固定部１３２から前記第１収納スペース１１０に向かって折り曲げられ、第１側壁１１１を跨る当接ビーム１３３と、を有する。前記基部１３１及び固定部１３２は、収納孔１１１０に収納される。前記当接ビーム１３３には、凸状部片１３６が設けられる。固定部１３２は、前記基部１３１から直接的に折り曲げられる二つの保持ビーム１３２１と、前記保持ビーム１３２１の端部から延在する固持ビーム１３２２と、を備える。前記固持ビーム１３２２及び当接ビーム１３３は、逆Ｕ字状に形成される。前記固持部１３２は、Ｔ字状に形成される。前記固持部１３２の側表面が、第１側壁１１１の側表面と面一になる。
【００１３】
前記雄コネクタ２は、第２絶縁性本体２１と、前記第２絶縁性本体２１に固定される複数の第２端子２２と、前記第１固定部材１３と係合する一対の第２固定部材２３と、を有する。
【００１４】
各第２絶縁性本体２１は、第２底壁２１３と、前記第２底壁２１３から延在し、互いに平行に延在する二つの第２側壁２１１と、前記二つの第２側壁２１１の端部を連接する二つの第２端壁２１２と、前記第２底壁２１３と第２側壁２１１と第２端壁２１２とによって形成される収納溝２１０と、を含む。前記端壁２１２には、外窪溝２１２０と、内窪溝２１２１と、が形成される。第２端子２２が第２側壁２１１に固定される。
【００１５】
前記一対の第２固定部材２３は第２絶縁性本体２１の一対の端部に取り付けられる。各第２固定部材２３は、平板状の主体部２３１と、前記主体部２３１の前端又は後端から下向きに延在する第２制限部２３４、２３５と、主体部２３１の両側から下向きに延在する係合ビーム２３３と、を備える。前記係合ビーム２３３には、スロット２３２が形成される。前記係合ビーム２３３と当接ビーム１３３とは、係合機構を形成する。
【００１６】
前記コネクタ組立体１００が組み立てる時、二つの第１固定部材１３が、インサートモールドによって、第１絶縁性本体１１の両端に固定される。前記基部１３１と、第１制限部１３４とはそれぞれ、第１端壁１１２に固定される。固定部１３２が第１側壁１１１に固定される。固定部１３２の外側面が第１側壁１１１から露出される。当接ビーム１３３が第１側壁１１１から第１収納スペース１１０に向かって露出される。第１端子１２が第１絶縁性本体１１に固定され、前記第１収納スペース１１０に向かって突出し、雄コネクタ２００の端子と接続する。二つの第２固定部材２３は、第２絶縁性本体２１の端部に取り付けられる。第２制限部２３４，２３５とは、外窪溝２１２０、内窪溝２１２１に収納される。係合ビーム２３３は、第２側壁２１１の側壁に固定される。第２端子２２は、第２絶縁性本体２１に固定され、その一部分が第２側壁２１１から延出し、回路基板に半田付けにより接続される。
【００１７】
使用場合、雄コネクタ２００が雌コネクタ１００に挿入される時、雄コネクタ２００が第１収納スペース１１０に収納される。プレートフォーム１１４が収納溝２１０に収納される。第１端子１２が第２端子と接続する。第１固定部材１３が第２固定部材２３と係合する。第１固定部材１３の当接ビーム１３３が、第２固定部材２３の係合ビーム２３３と係合する。雌コネクタ１が雄コネクタ２と接続する。
【００１８】
前記第１固定部材１３はインサートモールドによって第１絶縁性本体１１と一体に成型される。固定部１３２が第１絶縁性本体１１に安定に固定される。当接ビーム１３３が固持ビーム１３２から内側へ折り曲げられ、第１絶縁性本体１１に固定される。当接ビーム１３３が固持ビーム１３２から内側へ折り曲げられ、第１収納スペース１１０に向かって露出される。雌コネクタ１が雄コネクタ２と接続する時、当接ビーム１３３が弾性変形でき、第１固定部材１３が第２固定部材２３に容易に係合する。雌コネクタ１が雄コネクタ２と接続する時、コネクタ組立体１００は、大きい力を受ける。前記コネクタ組立体１００は、破損し難く、保護される。
【００１９】
図９〜図１６に示すように、第２実施形態において、前記雌コネクタ１’は、第１絶縁性本体１１’と、前記第１絶縁性本体１１’に固着される第１端子１２’と、インサートモールドによって前記第１絶縁性本体１１’に固着される一対の第１固定部材１３’と、を備える。
【００２０】
第１実施形態の第１固定部材１３と異なる第２実施形態の前記第１固定部材１３’の特徴は、第１固定部材１３’の当接ビーム１３３’には、カットアウト１３６’が形成されることである。
【００２１】
前記雄コネクタ２’は、第２絶縁性本体２１’と、前記第２絶縁性本体２１’に固定される複数の第２端子２２’と、前記第１固定部材１３’と係合する一対の第２固定部材２３’と、を有する。
【００２２】
前記第２固定部材２３’は、第２絶縁性本体２１’の両端に取り付けられる。各第２固定部材２３’は、平板状の主体部２３１’と、前記主体部２３１’の前端又は後端から下向きに延在する第２制限部２３４’と、主体部２３１’の両側から下向きに延在する係合ビーム２３３’と、を備える。前記係合ビーム２３３’には、凸状部片２３２’が設けられる。前記係合ビーム２３３’が当接ビーム１３３’と係合し、係合機構を構成する。
【符号の説明】
【００２３】
１００、１００’  コネクタ組立体
１，１’  雌コネクタ
１１、１１’第１絶縁性本体
１１０、１１０’  収納スペース
１１１０、１１１０’  収納孔
１１１  第１側壁
１１２  第１端壁
１１３  第１底壁
１１４  プレートフォーム
１２  第１端子
１３，１３’  第１固定部材
１３１  基部
１３２  固定部
１３２１  保持ビーム
１３２２  固持ビーム
１３３，１３３’  当接ビーム
１３４  第１制限部
１３６  凸状部片
１３６’  カットアウト
２、２’雄コネクタ
２１，２１’  第２絶縁性本体
２１０  収納溝
２１１  第２側壁
２１２  第２端壁
２１２０  外窪溝
２１２１  内窪溝
２１３  第２底壁
２２  第２端子
２３、２３’  第２固定部材
２３１  主体部
２３２  スロット
２３２’  係合部
２３３、２３３’  係合ビーム
２３４、２３４’  第２制限部
【図１】
2017168427.tif 000003
【図２】
2017168427.tif 000004
【図３】
2017168427.tif 000005
【図４】
2017168427.tif 000006
【図５】
2017168427.tif 000007
【図６】
2017168427.tif 000008
【図７】
2017168427.tif 000009
【図８】
2017168427.tif 000010
【図９】
2017168427.tif 000011
【図１０】
2017168427.tif 000012
【図１１】
2017168427.tif 000013
【図１２】
2017168427.tif 000014
【図１３】
2017168427.tif 000015
【図１４】
2017168427.tif 000016
【図１５】
2017168427.tif 000017
【図１６】
2017168427.tif 000018